(57)【要約】【課題】  要介護者をその場で１８０°回転させることを目的としてターンテーブルが利用されるが、容易に回転させることができる反面、不意に回転してしまうことで却って重大事故を招きやすい問題があった。【解決手段】  要介護者を方向転換させることを目的として回転板を回転支持装置で回転可能に支持した装置において、該回転板の複数箇所に設けた凹部の挿通方向に付勢したストッパを移動させる足踏みスイッチを設けたものであって、該足踏みスイッチは、踏むことによって作動する踏込防止機構を備える。【選択図】        図３
2006239210.tif 000002
【特許請求の範囲】
【請求項１】
要介護者を方向転換させることを目的として回転板を回転支持装置で回転可能に支持した装置において、該回転板の複数箇所に設けた凹部の挿通方向に付勢したストッパを移動させる足踏みスイッチを設けたものであって、該足踏みスイッチは、踏むことによって作動する踏込防止機構を備えたことを特徴とするターンテーブル。
【請求項２】
踏込防止機構は、足踏みスイッチの作動を規制するバネで付勢したスライダと、該スライダに掛合させ該足踏みスイッチの操作で掛合を解除する掛合具とによって構成した請求項１記載のターンテーブル。
【請求項３】
回転板は、要介護者の体を支える手摺を設けた請求項１又は２記載のターンテーブル。
【発明の詳細な説明】
【技術分野】
【０００１】
本発明は、便器を使用するときなど要介護者をその場で方向転換させる場合に用いるターンテーブルの改良に関するものである。
【背景技術】
【０００２】
老人や身体障害者等が生活する上で、最も身近な問題が排泄行為であり、しかも一日に何回となく繰り返さなければならない。例えば、車いすがなければ移動できない要介護者にとっては便器に着座することも困難であり、介護者による介助が必要となる。要介護者が便器を利用する場合において、最も困難を伴うのは便器の前で方向転換する行為である。介護者にとっても要介護者の体を便器の前で１８０°回転させるのは、極めて介助しにくく、双方にとって苦痛を伴う行為となっていた。
【発明の開示】
【発明が解決しようとする課題】
【０００３】
要介護者をその場で１８０°回転させるものとしてターンテーブルの設置が考えられる。しかし、ターンテーブルは回転を容易にできる反面、却って重大事故を招きやすい問題を孕む道具といえる。これは、予期しないときに回転してしまうためである。ターンテーブルとしては、ストッパが設けられ所定位置で回転しないように固定する構造のものもあるが、ストッパの解除操作が足踏み式であることから、不意にこれを踏んでしまう危険性を有していた。
【課題を解決するための手段】
【０００４】
そこで本発明者は上記問題に鑑み鋭意研究の結果、本発明を成し得たものであり、その特徴とするところは、要介護者を方向転換させることを目的として回転板を回転支持装置で回転可能に支持した装置において、該回転板の複数箇所に設けた凹部の挿通方向に付勢したストッパを移動させる足踏みスイッチを設けたものであって、該足踏みスイッチは、踏むことによって作動する踏込防止機構を備えたことにある。
【０００５】
ここで、本明細書中でいう「足踏みスイッチ」とは、回転支持装置で回転可能に支持した回転板の回転を停止させるストッパを、解除させる方向に移動させる装置をいう。回転支持装置は、フリーベア、ローラ、ベアリングなどを設けたもので、これらに回転板を支持することによって回転させる。回転板には、凹部や突起などが設けられ、これらにストッパを係合させて回転が停止される。
【０００６】
「踏込防止機構」とは、ストッパによる回転板の回転停止が不意に解除されないように、足踏みスイッチの作動を不能にする安全機構をいう。本発明においては、この踏込防止機構の作動を足踏みスイッチの操作に連動させている。従って、足踏みスイッチを操作して回転板が回転する状態にした後は、これ以降足踏みスイッチの操作ができないことになり、回転板が不意に回転してしまうことがなくなる。足踏みスイッチを一回限りの操作で終わらせる構造である。
【０００７】
足踏防止機構の解除は、別の操作によって行う。これにより、回転板の停止解除を意識的に行うことができ、安全性を損なうことは全くない。本発明では、足踏防止機構による足踏みスイッチ作動不能の解除操作により、足踏みスイッチで操作踏込防止機構が連動する状態に復帰させる構造としている。
【０００８】
例えば、足踏みスイッチが作動しないようにするため、足で踏んでもスイッチが動かないように、スイッチの下方に介在物を移動させる。介在物の移動はバネなどの弾性体によって行う。介在物がスイッチの下方に移動しないように該介在物を掛合具で掛止しておく。足踏みスイッチの操作で該掛合具による介在物の掛止を解除すれば、該介在物がスイッチの下方に移動し、これ以降の操作ができなくなる。別の操作により介在物を元の位置に戻すことにより、掛合具が掛止位置に復帰するようにしておけば、足踏みスイッチの作動状態が維持できる。掛合具の復帰手段は、バネなどの弾性体で付勢させたり、錘を設けるなどの方法で行えばよい。
【発明の効果】
【０００９】
本発明に係るターンテーブルは、回転板の複数箇所に設けた凹部の挿通方向に付勢したストッパを移動させる足踏みスイッチを設けたものであって、該足踏みスイッチは、踏むことによって作動する踏込防止機構を備えたことにより、足腰の弱った要介護者を簡単確実にその場で方向転換させることができ、要介護者だけでなく介護者にとっても労力を軽減することが可能となる。特に、足踏みスイッチで作動する踏込防止機構により、要介護者を方向転換させて回転板が固定された後は、絶対に該回転板が回転しないため、要介護者及び介護者の双方にとって安心感を高めることができる。また、踏込防止機構は足踏みスイッチの操作に連動させているため、足踏防止機構の操作に気を遣う必要が無く、しかもその作動が確実にできるなど極めて有益な効果を有するものである。
【発明を実施するための最良の形態】
【００１０】
回転板を回転支持装置で回転可能に支持し、該回転板の複数箇所に設けた凹部の挿通方向に付勢したストッパを移動させる足踏みスイッチを設けたものであって、該足踏みスイッチは、踏むことによって作動する踏込防止機構を備えたことにより、上述した課題を解決した。
【実施例１】
【００１１】
図１は本発明に係るターンテーブル１の一実施例を示し、便器３を使用するため、車いす２から降ろした要介護者Ｍを該ターンテーブル１に立たせた状態である。要介護者Ｍをターンテーブル１に載せることにより、要介護者Ｍを無理なくその場で約１８０°回転させることができ、便器３の使用が容易に行える。ターンテーブル１は、要介護者Ｍを立たせるときや方向転換させた後は、回転しないように固定しておかなければ極めて危険である。
【００１２】
従来の一般的なターンテーブル１１は、図２のように回転支持装置４に回転板５を回転可能に支持した構造であり、該回転板５の回転を停止させるためのストッパ６を設けている。ストッパ６は回転板５の裏面側の１８０°の位置に２ヶ所設けた凹部５１に挿通して回転が止められる。ストッパ６による回転停止を解除するには、足踏みスイッチ７を足で踏み込むことによって行う。足踏みスイッチ７を足で踏んで回転板５を回転させてから足を離せば、１８０°の位置で凹部５１にストッパ６が嵌り込んで、自動的に回転が停止する。このような構造では、不意に足踏みスイッチ７を踏んでしまうことがあり、回転板５が回転して極めて危険な状態となる。
【００１３】
このため、本発明に係るターンテーブル１では、図３に示すように足踏みスイッチ７に連動して作動する踏込防止機構８を設けている。同図（ａ）は踏込防止機構８の作動前の状態であり、足踏みスイッチ７に設けたストッパ６が回転板５の凹部５１に嵌り込み、該回転板５を固定している。この状態で要介護者Ｍを回転板５に載せる。そして、同図（ｂ）のように足踏みスイッチ７を踏み込めば、ストッパ６が凹部５１から外れて回転板５を回転させることができる。この場合、足踏みスイッチ７を踏み込むと同時に掛合具８２が押し下げられ、スライダ８１との掛合が解除される。
【００１４】
これにより、スライダ８１はバネによって前進する。足踏みスイッチ７から足を上げれば、足踏みスイッチ７が同図（ｃ）のようにバネで元の位置に復帰し、その下方にスライダ８１が進入する。この結果、該足踏みスイッチ７の踏み込みが阻止され、回転板５を回転させることができなくなる。
【００１５】
回転板５を再度回転させるようにするには、レバー８３を後方に引くことによって行う。レバー８３の操作は、手で引っ張ってもよく、踵で移動させることもできる。レバー８３を引くことで、掛合具８２が同図（ａ）に位置に復帰してスライダ８１の進入を阻止し、足踏みスイッチ７が踏み込める状態となる。本例では、掛合具８２を復帰させるために錘８３を設けている。
【実施例２】
【００１６】
図４は本発明に係るターンテーブル１の他の実施例であり、回転板５に要介護者Ｍの体を支えるための手摺５２を設けたものである。この手摺５２を設けることにより要介護者Ｍは、安心してターンテーブル１に乗ることができ、回転しているときの不安感も少なくなる。このことは、介護者の負担も少なくすることに繋がる。
【図面の簡単な説明】
【００１７】
【図１】本発明に係るターンテーブルの一実施例を示す平面図である。（実施例１）
【図２】ターンテーブルの従来例の一例を示す断面図である。
【図３】（ａ）（ｂ）（ｃ）はそれぞれ本発明に係るターンテーブルにおける踏込防止機構の作動状態を示す部分断面図である。
【図４】本発明に係るターンテーブルの他の実施例を示す側面図である。（実施例２）
【符号の説明】
【００１８】
Ｍ  要介護者
１  ターンテーブル
２  車いす
３  便器
４  回転支持装置
５  回転板
５１  凹部
５２  手摺
６  ストッパ
７  足踏みスイッチ
８  踏込防止機構
８１  スライダ
８２  掛合具
８３  レバー
８４  錘
【図１】
2006239210.tif 000003
【図２】
2006239210.tif 000004
【図３】
2006239210.tif 000005
【図４】
2006239210.tif 000006